(57)【要約】【課題】  ＣＤをコピーするとき、二重コピーを防止する。【解決手段】  ＣＤ１０から再生されるデジタルオーディオデータおよびＴＯＣを他の記録媒体２４に記録するとともに、ＴＯＣから生成されるデータを、他の記録媒体２４の管理テーブルに記録する記録手段４１を設ける。再生されるデジタルオーディオデータを、記録手段４１により他の記録媒体２４に記録するとき、ＴＯＣから生成されるデータと、管理テーブルに記録されていてＴＯＣから生成されるデータとに基づいて、再生されるデジタルオーディオデータの記録の許可・禁止を制御する制御手段４１を設ける。【選択図】  図１
2006236566.tif 000002
【特許請求の範囲】
【請求項１】
デジタルオーディオデータと、このデジタルオーディオデータを管理するＴＯＣとが記録されているＣＤから再生される上記デジタルオーディオデータおよびＴＯＣを他の記録媒体に記録するとともに、上記ＴＯＣから生成されるデータを、上記他の記録媒体の管理テーブルに記録する記録手段と、
上記再生されるデジタルオーディオデータを、上記記録手段により上記他の記録媒体に記録するとき、上記ＴＯＣから生成されるデータと、上記管理テーブルに記録されていて上記ＴＯＣから生成されるデータとに基づいて、上記再生されるデジタルオーディオデータの記録の許可・禁止を制御する制御手段と
を有する記録装置。
【請求項２】
請求項１に記載の記録装置において、
上記制御手段は、
上記ＴＯＣから生成されるデータが上記管理テーブルに記録されているときには、上記再生されるデジタルオーディオデータを上記記録手段により記録することを禁止する
ようにした記録装置。
【請求項３】
請求項１に記載の記録装置において、
上記制御手段は、
上記ＴＯＣから生成されるデータが上記管理テーブルに記録されているときには、上記再生されるデジタルオーディオデータが上記記録手段によりすでに記録されていることを警告する
ようにした記録装置。
【請求項４】
請求項１に記載の記録装置において、
上記制御手段は、
上記ＴＯＣから生成されるデータが上記管理テーブルに記録されていないときには、上記再生されるデジタルオーディオデータを上記記録手段により記録することを許可する
ようにした記録装置。
【請求項５】
請求項４に記載の記録装置において、
上記制御手段は、
上記再生されるデジタルオーディオデータを上記記録手段により記録することを許可したとき、上記ＣＤに記録されていて上記ＴＯＣから生成されるデータを上記管理テーブルに記録する
ようにした記録装置。
【請求項６】
請求項１に記載の記録装置において、
上記デジタルオーディオデータを圧縮する圧縮手段を有し、
上記再生手段により再生されるデジタルオーディオデータを記録するとき、上記再生されるデジタルオーディオデータを上記圧縮手段により圧縮し、
この圧縮結果のデジタルオーディオデータを記録する
ようにした記録装置。
【請求項７】
請求項１に記載の記録装置において、
上記管理テーブルは、トラック数、トラックの開始位置、トラックの終了位置、およびＣＤのタイトルの中で少なくとも一つを含む
ようにした記録装置。
【請求項８】
請求項３に記載の記録装置において、
上記制御手段は、
上記ＣＤがすでに記録されていることを上記ＣＤのタイトルを含む情報を表示手段に表示して警告する
ようにした記録装置。
【請求項９】
請求項１に記載の記録装置において、
上記制御手段は、
上記ＴＯＣより生成されるデータが上記管理テーブルに記録されているときには、上記ＣＤをイジェクトする
ようにした記録装置。
【請求項１０】
デジタルオーディオデータと、このデジタルオーディオデータを管理するＴＯＣとが記録されているＣＤから上記デジタルオーディオデータを再生したデジタルオーディオデータを他の記録媒体に記録するとき、上記ＣＤから上記ＴＯＣを再生してこのＴＯＣに基づくデータを生成し、
この生成したデータにより上記他の記録媒体における管理テーブルを検索し、
この検索結果に基づいて、上記再生したデジタルオーディオデータの上記他の記録媒体への記録の許可・禁止を制御する
ようにした記録方法。
【請求項１１】
請求項１０に記載の記録方法において、
上記検索結果が、上記生成したデータが上記管理テーブルに記録されていることを示したときには、上記デジタルオーディオデータを上記他の記録媒体に記録することを禁止する
ようにした記録方法。
【請求項１２】
請求項１０に記載の記録方法において、
上記検索結果が、上記生成したデータが上記管理テーブルに記録されていることを示したときには、上記デジタルオーディオデータが上記他の記録媒体にすでに記録されていることを警告する
ようにした記録方法。
【請求項１３】
請求項１０に記載の記録方法において、
上記検索結果が、上記生成したデータが上記管理テーブルに記録されていないことを示したときには、上記デジタルオーディオデータを上記他の記録媒体に記録することを許可する
ようにした記録方法。
【発明の詳細な説明】
【技術分野】
【０００１】
この発明は、記録装置および記録方法に関する。
【背景技術】
【０００２】
例えば車両に搭載して使用するオーディオ機器にＨＤＤを設け、そのＨＤＤにＣＤの内容をコピーしておけば、ＣＤチェンジャなどよりも素早く聴きたいＣＤを探し出して再生することができる。
【０００３】
そして、その場合、音楽用のＣＤの容量は、およそ760Ｍバイト（≒44.1ｋHz×16ビット×２チャンネル×60秒×74分）である。また、適切なデータ圧縮技術を利用すれば、ＣＤのデジタルオーディオデータを１／10程度の容量にデータ圧縮することができる。
【０００４】
したがって、ＣＤにフルに音楽が収容されていても、そのデジタルオーディオデータを、１枚のＣＤにつき80Ｍバイト程度のデータ量にデータ圧縮することができるので、例えば８ＧバイトのＨＤＤを用意すれば、100枚以上のＣＤをコピーしておくことができる。
【０００５】
つまり、車載用のＣＤチェンジャが一度に扱えるＣＤが10枚程度であるのに比べ、ＨＤＤにＣＤの内容をデータ圧縮してコピーしておけば、はるかにたくさんのＣＤを扱うことができる。しかも、そのとき、上記のように目的のＣＤを素早く選択して再生することができる。
【０００６】
なお、先行技術文献として例えば以下のものがある。
【特許文献１】特開平１０−１６２５０８号公報
【特許文献２】特開平１１−２３４６１５号公報
【特許文献３】特開平３−７６０８２号公報
【発明の開示】
【発明が解決しようとする課題】
【０００７】
ところが、上記のようなシステムを構築した場合、100枚ものＣＤをコピーできるとなると、誤って同じＣＤを２度コピーしてしまうことがある。そして、そのようなトラブルを避けるには、ユーザがコピーしたＣＤを管理するほかはなく、ユーザはコピーしたＣＤの名前を例えばメモしておく必要がある。
【０００８】
しかし、100枚ものＣＤを管理するのは大変であり、結局、同じＣＤを２度コピーしてしまうことがある。
【０００９】
この発明は、このような問題点を解決しようとするものである。
【課題を解決するための手段】
【００１０】
この発明においては、
デジタルオーディオデータと、このデジタルオーディオデータを管理するＴＯＣとが記録されているＣＤから再生される上記デジタルオーディオデータおよびＴＯＣを他の記録媒体に記録するとともに、上記ＴＯＣから生成されるデータを、上記他の記録媒体の管理テーブルに記録する記録手段と、
上記再生されるデジタルオーディオデータを、上記記録手段により上記他の記録媒体に記録するとき、上記ＴＯＣから生成されるデータと、上記管理テーブルに記録されていて上記ＴＯＣから生成されるデータとに基づいて、上記再生されるデジタルオーディオデータの記録の許可・禁止を制御する制御手段と
を有する記録装置
とするものである。
【発明の効果】
【００１１】
この発明によれば、ＣＤを誤って二重にコピーすることを防止でき、例えばＨＤＤの容量を無駄に消費することがなくなる。しかも、そのとき、対象とするＣＤをＨＤＤにコピーしてあるかどうかを、ユーザが管理する必要がなく、自動的に二重コピーを防止することができる。
【００１２】
また、対象とするＣＤがコピー済みであるかどうかが分からないときには、そのＣＤについてコピーの操作をしてみればよく、まだ、コピーしていなければ、コピーが実行され、コピー済みであれば、二重のコピーは実行されない。しかも、そのために、ＨＤＤに管理テーブルを用意するだけでよく、特別のハードウエアを必要としない。
【発明を実施するための最良の形態】
【００１３】
図１は、この発明による装置の一例について、オーディオ信号ラインを中心にして示す。
【００１４】
すなわち、符号１０は、例えば音楽のデジタルオーディオデータが記録されているＣＤである。なお、このＣＤ１０が、「ＣＤテキスト」の規格にしたがったＣＤの場合には、ＣＤ１０のリードイン領域のトラックに含まれるＲ〜Ｗチャンネルに、そのＣＤ１０の付加的な文字情報、例えばＣＤ１０のタイトルや演奏者などのデータが記録されている。
【００１５】
そして、ＣＤ１０は、再生手段であるＣＤドライブ装置２１により再生されるものであり、このＣＤドライブ装置２１からは復調やエラー訂正などの再生処理の行われたデジタルオーディオデータが取り出され、このデジタルオーディオデータがバスライン２９に供給される。
【００１６】
また、バスライン２９には、バッファ用のメモリ２２が接続されるとともに、データ圧縮用のエンコーダ回路２３が接続される。このエンコーダ回路２３は、例えばＤＳＰにより構成され、ＣＤ１０から再生されたデジタルオーディオデータを、例えばＡＴＲＡＣ処理（ＡＴＲＡＣは登録商標）により１／10程度のデータ量にデータ圧縮するものである。
【００１７】
さらに、バスライン２９には、大容量の記録手段として、例えばＨＤＤ２４が接続される。このＨＤＤ２４は、ＣＤ１０のデジタルオーディオデータ（データ圧縮後のデジタルオーディオデータ）を蓄積しておくためのものであり、例えば16Ｇバイトの容量を有する。したがって、ＨＤＤ２４は、上記のように少なくとも100枚のＣＤについて、データ圧縮されたデジタルオーディオデータを記録し、再生できることになる。
【００１８】
また、ＨＤＤ２４には、例えば図３に示すような管理テーブル２４Ｔが１つのファイルとして用意される。この管理テーブル２４Ｔは、ＣＤ１０のデジタルオーディオデータをデータ圧縮してＨＤＤ２４に蓄積あるいは書き込んだとき、その書き込み元のＣＤ１０を特定するための情報と、その書き込まれたＣＤ１０の各トラックの書き込み位置（ＨＤＤ２４における書き込み位置）とを保持するものである。
【００１９】
このため、管理テーブル２４Ｔには、例えば100個のデータ欄＃１〜＃100が用意される。このデータ欄＃１〜＃100のそれぞれは、ＨＤＤ２４にデジタルオーディオデータが記録されたＣＤの１枚に対応するものであり、さらに、＃１〜＃100は、ＨＤＤ２４に内容がコピーされたＣＤを選択するときのＣＤ番号としても使用される。
【００２０】
そして、データ欄（ＣＤ番号）＃１〜＃100のそれぞれには、「ＴＯＣデータ」、「トラック数」、「トラック１の開始位置および終了位置」、「トラック２の開始位置および終了位置」、・・・、「最終トラックの開始位置および終了位置」、「ＣＤのタイトル」のセルが用意されている。
【００２１】
ここで、ＣＤ１０は、そのトラックに関する時間情報をＴＯＣに有しているとともに、このＴＯＣは一般にＣＤ１０ごとに異なる。そこで、このＴＯＣのデータがＣＤ１０を特定あるいは検索するためのデータとして使用されるものであり、そのＴＯＣのデータが「ＴＯＣデータ」のセルに検索情報として書き込まれる。
【００２２】
さらに、「トラック数」のセルには、対応するＣＤ１０の全トラック数が書き込まれる。また、「トラック１の開始位置および終了位置」〜「最終トラックの開始位置および終了位置」のセルには、それぞれのトラック（ＣＤ１０におけるトラック）の、ＨＤＤ２４における書き込み開始位置および書き込み終了位置が書き込まれる。
【００２３】
また、「ＣＤのタイトル」のセルには、ＨＤＤ２４からの再生時などにＣＤ１０のタイトルとして表示される文字データが書き込まれる。例えば、ＣＤ１０がＣＤテキストの規格のＣＤの場合には、そのリードイン領域のＲ〜Ｗチャンネルに記録されている文字情報をコピーして書き込むことができる。
【００２４】
さらに、バスライン２９には、デコーダ回路２５および音声出力回路２６が接続される。この場合、デコーダ回路２５は、例えばＤＳＰにより構成され、エンコーダ回路２３とは相補のデコード処理を行ってデータ圧縮されているデジタルオーディオデータをデータ圧縮前のもとのデジタルオーディオデータにデコードするものである。
【００２５】
また、音声出力回路２６は、Ｄ／Ａコンバータ回路などを有し、デジタルオーディオデータが供給されたとき、このデジタルオーディオデータをアナログオーディオ信号Ｌ、ＲにＤ／Ａ変換するものであり、そのオーディオ信号Ｌ、Ｒは出力アンプ２７を通じて左および右チャンネルのスピーカ２８Ｌ、２８Ｒに供給される。
【００２６】
さらに、バスライン２９には、バッファ用のメモリ３１および表示制御回路３２が接続されるとともに、表示制御回路３２には、表示手段として例えばＬＣＤ３３が接続されて各種の情報を表示できるようにされている。
【００２７】
また、符号４１は、この装置全体の動作を制御する制御回路であり、これは例えばマイクロコンピュータにより構成されるとともに、バスライン２９に接続されている。そして、この制御回路４１には、そのＣＰＵが実行するプログラムの一部として、例えば図２に示すルーチン１００が用意されている。なお、このルーチン１００の詳細については後述するが、図２においては、この発明に関係する部分だけを抜粋して示す。
【００２８】
さらに、制御回路４１には、ユーザが各種の入力操作を行うための手段としてノンロックタイプのプッシュスイッチにより構成された操作キー４２が接続されている。
【００２９】
このような構成において、制御回路４１のマイクロコンピュータがルーチン１００を実行することにより、〔ＣＤの通常の再生〕および〔ＣＤからＨＤＤへの記録〕が以下のように実行される。
【００３０】
〔ＣＤの通常の再生〕
これは、一般のＣＤプレーヤと同様、ＣＤ１０をそのまま再生して音響出力を得る場合である。
【００３１】
すなわち、ＣＤドライブ装置２１にＣＤ１０をセットすると、制御回路４１のＣＰＵの処理がルーチン１００のステップ１０１からスタートし、次にステップ１０２において、ＣＤドライブ装置２１によりＣＤ１０からＴＯＣのデータが読み出され、この読み出されたＴＯＣのデータが、ＣＤドライブ装置２１からバスライン２９を通じて制御回路４１に供給されて保存され、続いてステップ１０３において、キー入力待ちとなる。
【００３２】
そして、今の場合は、〔ＣＤの通常の再生〕なので、キー４２のうちの再生キーを押すと、処理はステップ１０３からステップ１１１に進み、ステップ１０３で入力されたキーが判別される。
【００３３】
そして、今の場合は、再生キーが押されたので、処理はステップ１１１からステップ１１２に進み、このステップ１１２において、ＣＤ１０の通常の再生処理が実行される。
【００３４】
すなわち、ＣＤドライブ装置２１によりＣＤ１０からデジタルオーディオデータが再生され、このデジタルオーディオデータがＣＤドライブ装置２１からバスライン２９を通じて音声出力回路２６に供給されてオーディオ信号Ｌ、ＲにＤ／Ａ変換され、このオーディオ信号Ｌ、Ｒがアンプ２７を通じてスピーカ２８Ｌ、２８Ｒに供給される。
【００３５】
この場合、ＣＤ１０から再生されるトラックは、ユーザの指定にしたがうが、そのとき、ステップ１０２により制御回路４１に保存されているＴＯＣのデータが参照される。さらに、この再生時、再生中のトラックのトラック番号や経過時間などがＬＣＤ３３に表示される。
【００３６】
そして、ユーザの指定したすべてのトラックの再生を終了すると、処理はステップ１１９に進み、このルーチン１００を終了する。
【００３７】
したがって、図１の装置は、ＣＤ１０を一般のＣＤプレーヤと同様に再生できることになる。
【００３８】
〔ＣＤからＨＤＤへの記録〕
これは、ＣＤ１０におけるデジタルオーディオデータをデータ圧縮してＨＤＤ２４に蓄積あるいは書き込む場合である。
【００３９】
すなわち、ＣＤドライブ装置２１にＣＤ１０をセットすると、上述のように、ＣＤ１０からＴＯＣのデータが読み出されて制御回路４１に保存され、その後、ステップ１０３において、キー入力待ちとなる。
【００４０】
そして、今の場合は、〔ＣＤからＨＤＤへの記録〕なので、キー４２のうちのコピーキーを押すと、処理はステップ１０３からステップ１１１に進み、ステップ１０３で入力されたキーが判別される。
【００４１】
すると、今の場合、コピーキーが押されたので、処理はステップ１１１からステップ１２１に進み、このステップ１２１において、ステップ１０２により読み出されたＴＯＣのデータを検索語として、管理テーブル２４Ｔの「ＴＯＣデータ」のセルのデータが検索される。
【００４２】
そして、次にステップ１２２において、ステップ１２１の検索結果が判別され、ステップ１０２により読み出されたＴＯＣのデータが管理テーブル２４Ｔの「ＴＯＣデータ」のセルにないときには、処理はステップ１２２からステップ１２３に進み、このステップ１２３において、ＣＤ１０がＨＤＤ２４にコピーされる。
【００４３】
すなわち、ＣＤドライブ装置２１によりＣＤ１０からデジタルオーディオデータが再生され、このデジタルオーディオデータが、ＣＤドライブ装置２１からバスライン２９を通じていったんメモリ２２に書き込まれるとともに、所定のタイミングでメモリ２２から読み出される。そして、この読み出されたデジタルオーディオデータが、バスライン２９を通じてエンコーダ回路２３に供給されてＡＴＲＡＣ処理によりデータ圧縮され、このデータ圧縮されたデジタルオーディオデータが、バスライン２９を通じてＨＤＤ２４に供給される。こうして、ＣＤ１０のデジタルオーディオデータはデータ圧縮された状態でＨＤＤ２４に書き込まれていく。
【００４４】
また、このとき、コピーされたＣＤ１０およびトラック（ＣＤ１０におけるトラック）の情報が、ＨＤＤ２４の管理テーブル２４Ｔに登録される。すなわち、ＣＤ１０のコピーが第ｎ番目（ｎ＝１〜100のどれか）であれば、管理テーブル２４ＴのＣＤ番号＃ｎの欄の「ＴＯＣデータ」のセルに、ステップ１０２によりＣＤ１０から読み出して制御回路４１に保存したＴＯＣのデータが書き込まれる。また、ＣＤ１０のトラック数が、ＣＤ番号＃ｎの欄の「トラック数」のセルに書き込まれる。
【００４５】
さらに、ＣＤ１０のデジタルオーディオデータがＨＤＤ２４に書き込まれたときの書き込み開始位置および書き込み終了位置が、そのＣＤ１０のトラックごとに、ＣＤ番号＃ｎの欄の「トラック１の開始位置および終了位置」〜「最終トラックの開始位置および終了位置」のセルのうち、対応するセルに書き込まれる。
【００４６】
また、キー４２からＣＤ１０やトラックなどについての文字情報を入力すると、その文字データがいったんメモリ３１に保存され、ＣＤ１０のコピーを終了したとき、メモリ３１から読み出されて管理テーブル２４ＴのＣＤ番号＃ｎの欄の「タイトル」のセルに書き込まれる。なお、ＣＤ１０がＣＤテキストのときには、ＣＤ１０に付加されている文字情報も書き込まれる。
【００４７】
こうして、ＣＤ１０の内容がＨＤＤ２４に書き込まれると、これに対応して管理テーブル２４Ｔも更新される。
【００４８】
そして、以上の処理を終了すると、処理はステップ１２３からステップ１１９に進み、このルーチン１００を終了する。
【００４９】
したがって、あるＣＤ１０がＨＤＤ２４にまだコピーされていないときには、そのＣＤ１０がＨＤＤ２４にコピーされるとともに、このとき、そのＣＤ１０を特定する情報もＨＤＤ２４の管理テーブル２４Ｔに登録されることになる。
【００５０】
一方、ステップ１２２において、ステップ１０２により読み出されたＴＯＣのデータが管理テーブル２４Ｔの「ＴＯＣデータ」のセルにあるときには、処理はステップ１２２からステップ１３１に進み、このステップ１３１において、制御回路４１からバスライン２９を通じて表示制御回路３２に所定のデータが供給され、この結果、ＬＣＤ３３には、例えば図４に示すように、コピーしようとしたＣＤ１０がすでにＨＤＤ２４にコピーされていることを示す注意文の文字列が表示される。
【００５１】
続いて、処理はステップ１３２に進み、制御回路４１からの指示にしたがってＣＤドライブ装置２１からＣＤ１０がイジェクトされ、その後、ステップ１１９によりこのルーチン１００を終了する。
【００５２】
〔ＨＤＤからの再生〕
これは、ＨＤＤ２４にコピーされたＣＤの内容を再生する場合である。なお、この再生のための処理ルーチンは図示していない。
【００５３】
すなわち、キー４２によりＨＤＤ２４からの再生を指示すると、管理テーブル２４Ｔのデータ欄＃１〜＃100のうち、登録の行われているデータ欄の「タイトル」のセルからデータが読み出され、このデータと、対応するＣＤ番号＃ｎのデータとが表示制御回路３２に供給され、この結果、ＬＣＤ３３には、ＣＤ番号＃ｎと、「タイトル」との対応表が表示される。
【００５４】
そこで、キー４２を操作して希望するＣＤ番号＃ｍを入力すると、管理テーブル２４ＴのＣＤ番号＃ｍの欄の「トラック数」〜「タイトル」のセルから、それらのセルに書き込まれているデータが読み出されて制御回路４１にいったん保存される。
【００５５】
そして、以後、この制御回路４１に保存されたデータを、ＣＤに書き込まれているＴＯＣのデータと同様に使用することにより、ＣＤ番号＃ｍのＣＤの内容に対応するデジタルオーディオデータが、ＨＤＤ２４から読み出されて音響として出力される。
【００５６】
この場合、ＨＤＤ２４からデジタルオーディオデータが読み出されると、これはメモリ２２によりバッファされてからデコーダ回路２５に供給されてもとのデジタルオーディオデータにデータ伸張され、このデータ伸張されたデジタルオーディオデータがメモリ２２によりバッファされてから音声出力回路２６に供給される。したがって、スピーカ２８Ｌ、２８Ｒからは、ＨＤＤ２４から読み出されたデジタルオーディオデータの再生音が出力される。
【００５７】
また、このＨＤＤ２４からの再生時にも、再生中のトラック（ＣＤのトラック）のトラック番号や経過時間などがＬＣＤ３３に表示される。
【００５８】
〔まとめ〕
以上のように、図１の再生装置においては、ＣＤ１０の内容をＨＤＤ２４にコピーするとき、管理テーブル２４Ｔを参照することにより、そのＣＤ１０がすでにコピーされているかどうかをチェックし、まだ、コピーされていない場合のみ、コピーを実行するようにしている。したがって、同じＣＤを誤って２度コピーすることを防止でき、例えばＨＤＤ２４の容量を無駄に消費するようなことがなくなる。
【００５９】
しかも、そのとき、あるＣＤをＨＤＤ２４にコピーしてあるかどうかを、ユーザが管理する必要がなく、自動的に二重コピーを防止することができる。
【００６０】
また、このことにより、あるＣＤがＨＤＤ２４にコピー済みであるかどうかが分からないときには、そのＣＤをＣＤドライブ装置２１にセットしてコピーのキー操作をしてみればよく、まだ、コピーしていなければ、ＨＤＤ２４へのコピーが実行され、コピー済みであれば、そのことが表示され、このとき、二重のコピーは実行されない。
【００６１】
しかも、そのために、ＨＤＤ２４に管理テーブル２４Ｔを用意するだけでよく、特別のハードウエアを必要としない。
【００６２】
さらに、管理テーブル２４Ｔの「タイトル」のセルには、任意の文字情報を書き込むことができるので、ＣＤをＨＤＤ２４にコピーしたとき、そのコピーに独自のタイトルなどをつけることができる。
【００６３】
〔その他〕
図５のルーチン１００においては、ＣＤ１０がＨＤＤ２４にすでにコピーされているとき、ステップ１３２に続いてステップ１３３が実行され、コピーしようとしたＣＤ１０の内容がＨＤＤ２４から再生されるようにした場合である。
【００６４】
したがって、この場合には、すでにＨＤＤ２４にコピーしたＣＤを再度コピーしようとしたときには、これがＬＣＤ３３における表示により注意されるとともに、再生音によっても確認できることになる。
【００６５】
また、上述において、管理テーブル２４Ｔの「タイトル」のセルに書き込まれる情報は、ＨＤＤ２４のコピー後の別の機会にまとめて書き込むようにすることもでき、その場合には、ＣＤの内容のコピー終了時に、コピーした日時などをデフォルトで書き込むようにしておくとよい。
【００６６】
さらに、「タイトル」のセルに書き込まれる情報は、不揮発性のメモリに書き込むこともできる。また、ＣＤ１０を再生してその内容をＨＤＤ２４にコピーするとき、その再生速度は標準よりも高速にすることができる。さらに、管理テーブル２４Ｔも、ＴＯＣのデータと、ＨＤＤ２４に書き込まれたデジタルオーディオデータとの対応関係を示すものであればよい。
【００６７】
この明細書で使用している略語の一覧
ＡＴＲＡＣ：Adaptive TRansform Acoustic Coding（登録商標）
ＣＤ      ：Compact Disc
ＣＰＵ    ：Central Processing Unit
Ｄ／Ａ    ：Digital to Analog
ＨＤＤ    ：Hard Disk Drive
ＬＣＤ    ：Liquid Crystal Display
ＴＯＣ    ：Table Of Contents
【図面の簡単な説明】
【００６８】
【図１】この発明の一形態を示す系統図である。
【図２】この発明の一形態を示すフローチャートである。
【図３】この発明の一形態を示す管理テーブルである。
【図４】この発明における表示例を示す図である。
【図５】この発明の他の形態を示すフローチャートである。
【符号の説明】
【００６９】
１０…ＣＤ、２１…ＣＤドライブ装置、２２…バッファメモリ、２３…エンコーダ回路、２４…ＨＤＤ、２４Ｔ…管理テーブル、２５…デコーダ回路、２６…音声出力回路、２７…アンプ、２８Ｌおよび２８Ｒ…スピーカ、２９…バスライン、３１…バッファメモリ、３２…表示制御回路、３３…ＬＣＤ、４１…制御回路、４２…操作キー、１００…処理ルーチン
【図１】
2006236566.tif 000003
【図２】
2006236566.tif 000004
【図３】
2006236566.tif 000005
【図４】
2006236566.tif 000006
【図５】
2006236566.tif 000007
【手続補正書】
【提出日】平成18年7月3日(2006.7.3)
【手続補正１】
【補正対象書類名】特許請求の範囲
【補正対象項目名】全文
【補正方法】変更
【補正の内容】
【特許請求の範囲】
【請求項１】
デジタルオーディオデータと、このデジタルオーディオデータを管理するＴＯＣとが記録されているＣＤから再生される上記デジタルオーディオデータおよびＴＯＣをＨＤＤに記録するとともに、上記ＴＯＣから生成されるデータを、上記ＨＤＤのすでに記録済みのＣＤのＴＯＣから生成されたデータを管理する管理テーブルに記録する記録手段と、
上記再生されるデジタルオーディオデータを、上記記録手段により上記ＨＤＤに記録するとき、上記ＴＯＣから生成されるデータと、上記管理テーブルに記録されていてすでに記録済みのＣＤのＴＯＣから生成されたデータとに基づいて、上記再生されるデジタルオーディオデータの記録の許可・禁止を制御する制御手段と
を有し、
上記制御手段は、特定のＣＤからのデジタルオーディオデータの記録が許可された場合、該特定のＣＤのＴＯＣから生成されるデータに基づいて上記管理テーブルを更新するように制御する記録装置。
【請求項２】
請求項１に記載の記録装置において、
上記制御手段は、
上記ＴＯＣから生成されるデータが上記管理テーブルに記録されているときには、上記再生されるデジタルオーディオデータを上記記録手段により記録することを禁止する
ようにした記録装置。
【請求項３】
請求項１に記載の記録装置において、
上記制御手段は、
上記ＴＯＣから生成されるデータが上記管理テーブルに記録されているときには、上記再生されるデジタルオーディオデータが上記記録手段によりすでに記録されていることを警告する
ようにした記録装置。
【請求項４】
請求項１に記載の記録装置において、
上記制御手段は、
上記ＴＯＣから生成されるデータが上記管理テーブルに記録されていないときには、上記再生されるデジタルオーディオデータを上記記録手段により記録することを許可する
ようにした記録装置。
【請求項５】
請求項１に記載の記録装置において、
上記デジタルオーディオデータを圧縮する圧縮手段を有し、
上記再生手段により再生されるデジタルオーディオデータを記録するとき、上記再生されるデジタルオーディオデータを上記圧縮手段により圧縮し、
この圧縮結果のデジタルオーディオデータを記録する
ようにした記録装置。
【請求項６】
請求項１に記載の記録装置において、
上記管理テーブルは、トラック数、トラックの開始位置、トラックの終了位置、およびＣＤのタイトルの中で少なくとも一つを含む
ようにした記録装置。
【請求項７】
請求項３に記載の記録装置において、
上記制御手段は、
上記ＣＤがすでに記録されていることを上記ＣＤのタイトルを含む情報を表示手段に表示して警告する
ようにした記録装置。
【請求項８】
請求項１に記載の記録装置において、
上記制御手段は、
上記ＴＯＣより生成されるデータが上記管理テーブルに記録されているときには、上記ＣＤをイジェクトする
ようにした記録装置。
【請求項９】
デジタルオーディオデータと、このデジタルオーディオデータを管理するＴＯＣとが記録されているＣＤから上記デジタルオーディオデータを再生したデジタルオーディオデータをＨＤＤに記録するとき、上記ＣＤから上記ＴＯＣを再生してこのＴＯＣに基づくデータを生成し、
この生成したデータにより上記ＨＤＤにおけるすでに記録済みのＣＤのＴＯＣから生成されたデータを管理する管理テーブルを検索し、
この検索結果に基づいて、上記再生したデジタルオーディオデータの上記ＨＤＤへの記録の許可・禁止を制御し
特定のＣＤからのデジタルオーディオデータの記録が許可された場合、該特定のＣＤのＴＯＣから生成されるデータに基づいて上記管理テーブルを更新する
ようにした記録方法。
【請求項１０】
請求項９に記載の記録方法において、
上記検索結果が、上記生成したデータが上記管理テーブルに記録されていることを示したときには、上記デジタルオーディオデータを上記ＨＤＤに記録することを禁止する
ようにした記録方法。
【請求項１１】
請求項９に記載の記録方法において、
上記検索結果が、上記生成したデータが上記管理テーブルに記録されていることを示したときには、上記デジタルオーディオデータが上記ＨＤＤにすでに記録されていることを警告する
ようにした記録方法。
【請求項１２】
請求項９に記載の記録方法において、
上記検索結果が、上記生成したデータが上記管理テーブルに記録されていないことを示したときには、上記デジタルオーディオデータを上記ＨＤＤに記録することを許可する
ようにした記録方法。
【請求項１３】
請求項９に記載の記録方法において、
上記ＴＯＣより生成されるデータが上記管理テーブルに記録されているときには、上記ＣＤをイジェクトする
ようにした記録方法。
【請求項１４】
請求項１に記載の記録装置において、
上記制御手段は、
上記ＴＯＣから生成されるデータが上記管理テーブルに記録されているときには、記録しようとした上記デジタルオーディオデータを上記ＨＤＤから再生される
ようにした記録装置。
【手続補正２】
【補正対象書類名】明細書
【補正対象項目名】００１０
【補正方法】変更
【補正の内容】
【００１０】
この発明においては、
デジタルオーディオデータと、このデジタルオーディオデータを管理するＴＯＣとが記録されているＣＤから再生される上記デジタルオーディオデータおよびＴＯＣをＨＤＤに記録するとともに、上記ＴＯＣから生成されるデータを、上記ＨＤＤのすでに記録済みのＣＤのＴＯＣから生成されたデータを管理する管理テーブルに記録する記録手段と、
上記再生されるデジタルオーディオデータを、上記記録手段により上記ＨＤＤに記録するとき、上記ＴＯＣから生成されるデータと、上記管理テーブルに記録されていてすでに記録済みのＣＤのＴＯＣから生成されたデータとに基づいて、上記再生されるデジタルオーディオデータの記録の許可・禁止を制御する制御手段と
を有し、
上記制御手段は、特定のＣＤからのデジタルオーディオデータの記録が許可された場合、該特定のＣＤのＴＯＣから生成されるデータに基づいて上記管理テーブルを更新するように制御する記録装置
とするものである。